(57)【要約】【課題】  頭が不自然に傾くのを抑制できる首枕を提供する。【解決手段】  首枕１は、首の後ろに配置されて横方向に延びる連結部材２と、連結部材２の一方端部上に位置し、頭の後ろから左顎の下にまで延びる立体形状の第１クッション材３と、連結部材２の他方端部上に位置し、頭の後ろから右顎の下にまで延びる立体形状の第２クッション材４とを備える。【選択図】      図１
2006204754.tif 000002
【特許請求の範囲】
【請求項１】
首の後ろに配置されて横方向に延びる連結部材と、
前記連結部材の一方端部上に位置し、頭の後ろから左顎の下にまで延びる立体形状の第１クッション材と、
前記連結部材の他方端部上に位置し、頭の後ろから右顎の下にまで延びる立体形状の第２クッション材とを備える、首枕。
【請求項２】
前記第１クッション材および第２クッション材は、それぞれ、内側に湾曲した円錐形状を有している、請求項１に記載の首枕。
【請求項３】
前記第１クッション材および第２クッション材のうちの少なくとも一方は、前記連結部材に取り外し可能に接続されている、請求項１または２に記載の首枕。
【請求項４】
前記第１クッション材と前記第２クッション材との間隔が調整可能である、請求項１〜３のいずれかに記載の首枕。
【請求項５】
前記連結部材は、前記第１クッション材と前記第２クッション材との間に位置する領域に、袋を有する、請求項１〜４のいずれかに記載の首枕。
【請求項６】
前記袋は、前記連結部材の内部に位置し、その開口部が連結部材上に露出している、請求項５に記載の首枕。
【請求項７】
前記連結部材の一方端部および他方端部は、それぞれ、下方に突出して使用者の肩に当接する突出部を有する、請求項１〜６のいずれかに記載の首枕。
【発明の詳細な説明】
【技術分野】
【０００１】
この発明は、首を保護する首枕に関し、特に車の座席やチャイルドシートに座った人の首を保護する首枕に関するものである。
【背景技術】
【０００２】
例えば特開２００４−８７５５号公報（特許文献１）および特開２００２−６７７６９号公報（特許文献２）は、車の座席に座っている人の頭を安定させる枕を開示している。
【特許文献１】特開２００４−８７５５号公報
【特許文献２】特開２００２−６７７６９号公報
【発明の開示】
【発明が解決しようとする課題】
【０００３】
上記の先行技術文献に開示された枕は、着座者の頭または首の後ろに配置されるものであり、頭が不自然に傾くのを防止できない。
【０００４】
車の座席やチャイルドシートに座っている人は、シートベルトを装着した状態のままで眠ることがあるが、その場合、一般的には頭が前方または側方に傾く。頭が前方または側方に傾いた状態が長く続くと、首が痛くなることがある。特に、首の発育が不十分な子供の場合、頭が不自然に前方または側方に傾いた状態が長く続くのは、好ましくない。
【０００５】
この発明の目的は、頭が不自然に傾くのを抑制できる首枕を提供することである。
【課題を解決するための手段】
【０００６】
この発明に従った首枕は、首の後ろに配置されて横方向に延びる連結部材と、連結部材の一方端部上に位置し、頭の後ろから左顎の下にまで延びる立体形状の第１クッション材と、連結部材の他方端部上に位置し、頭の後ろから右顎の下にまで延びる立体形状の第２クッション材とを備える。
【０００７】
上記構成の本発明によれば、立体形状の第１クッション材および第２クッション材が使用者の左右の顎の下に位置するので、頭が不自然に前方または側方に傾くのを抑制でき、使用者は楽に眠ることができる。
【０００８】
一つの実施形態では、第１クッション材および第２クッション材は、それぞれ、内側に湾曲した円錐形状を有している。また、好ましくは、第１クッション材および第２クッション材のうちの少なくとも一方は、連結部材に取り外し可能に接続されている。さらに好ましくは、第１クッション材と第２クッション材との間隔が調整可能である。
【０００９】
他の実施形態では、連結部材は、第１クッション材と第２クッション材との間に位置する領域に、袋を有する。袋には、必要に応じて、パッドが入れられる。使用者が身体の小さい子供の場合、例えば、袋内には何も入れない。そして、子供が成長して大きな身体になった段階で、袋にパッドを入れる。パッドの存在は、首に対して心地良い感触を与える。使用者の好みに応じて、パッドを入れたり出したりしてもよい。袋は、例えば、連結部材の内部に位置し、その開口部が連結部材上に露出するようにしてもよい。
【００１０】
連結部材の一方端部および他方端部が、それぞれ、下方に突出して使用者の肩に当接する突出部を有するものであってもよい。首枕の連結部材は、通常、使用者の首と座席の背もたれ部との間に位置するが、このような突出部を設ければ、首枕を適正な位置に保持できる。
【発明を実施するための最良の形態】
【００１１】
図１〜図４は、この発明の一実施形態に係る首枕を示し、図５は、首枕の使用状態を示している。図示するように、首枕１は、首の後ろに配置されて横方向に延びる連結部材２と、連結部材２の一方端部上に位置し、頭の後ろから左顎の下にまで延びる立体形状の第１クッション材３と、連結部材２の他方端部上に位置し、頭の後ろから右顎の下にまで延びる立体形状の第２クッション材４とを備える。
【００１２】
本明細書中に用いる「立体形状」という用語は、厚み方向の寸法が小さい平面形状と区別するものであり、縦、横および厚み方向のいずれにもある程度の大きさを有している形状のものを意味する。図示した実施形態の第１クッション材３および第２クッション材４は、それぞれ、内側に湾曲した円錐形状を有している。このような円錐形状のクッション材３，４であれば、それらが都合よく使用者の左右の顎の下に位置するようになる。他の実施形態として、第１クッション材および第２クッション材が、円柱状または棒状の形態を有していても良い。
【００１３】
図示した実施形態では、第１クッション材３は連結部材２の一方端部上に固定して取付けられ、第２クッション材４は連結部材２の他方端部上に取り外し可能に接続されている。図３に示すように、連結部材２の他方端部上には面状ファスナ５が取付けられている。また、図４に示すように、第２クッション材４の底面には、上記の面状ファスナ５に係合する面状ファスナ６が取付けられている。したがって、第２クッション材４は、面状ファスナ５，６を介して、連結部材２の他方端部上に取り外し可能に接続される。
【００１４】
２つの面状ファスナ５，６の接合箇所を横方向にずらすことにより、第２クッション材４の横方向位置を調節することができる。これにより、第１クッション材３と第２クッション材４との間隔を適宜調整できるので、使用者の首の大きさに適切に対応することができる。
【００１５】
面状ファスナ５，６は接合手段の一例であり、他の構造のものを採用できるのは言うまでもない。
【００１６】
なお、他の実施形態として、第１クッション材３および第２クッション材４の両者を連結部材２に対して取り外し可能に接続してもよいし、その逆に第１クッション材３および第２クッション材４の両者を連結部材２に固定して取り付けるようにしてもよい。
【００１７】
図５に示すように、首枕１の使用状態では、第１クッション材３が使用者の左顎の下に位置し、第２クッション材４が使用者の右顎の下に位置しているので、使用者の頭が不自然に前方または側方に傾くのを抑制できる。
【００１８】
図６は、この発明の他の実施形態に係る首枕を図解的に示す正面図である。図示する首枕１０は、首の後ろに配置されて横方向に延びる連結部材１１と、連結部材１１の一方端部上に位置し、頭の後ろから左顎の下にまで延びる立体形状の第１クッション材１３と、連結部材１１の他方端部上に位置し、頭の後ろから右顎の下にまで延びる立体形状の第２クッション材１２とを備える。
【００１９】
図６に示した実施形態では、連結部材１１は、第１クッション材１３と第２クッション材１２との間に位置する領域に、袋１７を有する。袋１７は、連結部材１１の内部に位置し、その開口部１６が連結部材１１上にスリットとして現われている。袋１７には、必要に応じて、パッドが入れられる。パッドの存在は、使用者の首に対して心地良い感触を与え得る。
【００２０】
また、図示するように、連結部材１１の一方端部および他方端部は、それぞれ、下方に突出して使用者の肩に当接する円弧状の突出部１５，１４を有する。首枕１０の連結部材１１は、通常、使用者の首と座席の背もたれ部との間に位置するが、このような突出部１５，１４を設ければ、首枕１０を適正な位置に保持できる。
【００２１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２２】
この発明は、首を保護する首枕として有利に利用され得る。
【図面の簡単な説明】
【００２３】
【図１】この発明の一実施形態に係る首枕を示す斜視図である。
【図２】首枕の平面図である。
【図３】固定された連結部材と第１クッション材とを示す斜視図である。
【図４】第２クッション材を示す斜視図である。
【図５】首枕の使用状態を示す図である。
【図６】この発明の他の実施形態に係る首枕を示す図解的正面図である。
【符号の説明】
【００２４】
１  首枕、２  連結部材、３  第１クッション材、４  第２クッション材、５，６  面状ファスナ、１０  首枕、１１  連結部材、１２  第２クッション材、１３  第１クッション材、１４，１５  円弧状突出部、１６  スリット、１７  袋。
【図１】
2006204754.tif 000003
【図２】
2006204754.tif 000004
【図３】
2006204754.tif 000005
【図４】
2006204754.tif 000006
【図５】
2006204754.tif 000007
【図６】
2006204754.tif 000008